(57)【特許請求の範囲】
【請求項１】
無線通信端末であって、
遠隔のBluetooth装置と第１の情報を通信するように構成されたBluetoothモジュールと、
携帯電話通信プロトコルに従い第２の情報を携帯電話ネットワークと通信するように構成された携帯電話送受信器と、
前記携帯電話送受信器による送信のために、信号処理動作により前記第２の情報を畳み込み符号化するように構成されたプロセッサとを備え、
前記プロセッサが、
前記遠隔のBluetooth装置が、畳み込み符号化された情報を受信可能な拡張通信モードをサポートしている場合に、前記Bluetoothモジュールによる通信のために前記信号処理動作により前記第１の情報を畳み込み符号化し、
前記遠隔のBluetooth装置が前記拡張通信モードをサポートしない場合に、前記第１の情報を、前記信号処理動作による畳み込み符号化を行うことなく前記Bluetoothモジュールを介して通信するように更に構成された
ことを特徴とする無線通信端末。
【請求項２】
前記プロセッサは、
前記携帯電話送受信器による送信のために前記第２の情報が含む音声情報を、エンハンスト・フル・レート（ＥＦＲ）コーデックとアダプティブ・マルチ・レート（ＡＭＲ）コーデックの少なくとも一つを用いて符号化し、
前記遠隔のBluetooth装置が前記拡張通信モードをサポートする場合に、前記第１の情報が含む音声情報を、前記Bluetoothモジュールによる送信のために前記ＥＦＲコーデックと前記ＡＭＲコーデックの少なくとも一つを用いて符号化し、
前記遠隔のBluetooth装置が前記拡張通信モードをサポートしない場合に、前記第１の情報が含む音声情報を、前記Bluetoothモジュールによる送信のために前記ＥＦＲコーデックと前記ＡＭＲコーデックとのいずれかを用いた符号化をしない
ように更に構成されたことを特徴とする請求項１に記載の無線通信端末。
【請求項３】
前記プロセッサは、
前記遠隔のBluetooth装置が前記拡張通信モードをサポートする場合に、前記携帯電話送受信器により通信される前記第２の情報に含まれる音声情報におけるエコーをキャンセルするための信号処理動作と同一の信号処理動作を利用して、前記Bluetoothモジュールによる通信のために前記第１の情報に含まれる音声情報におけるエコーをキャンセルするように更に構成されている
ことを特徴とする請求項２に記載の無線通信端末。
【請求項４】
前記プロセッサは、
前記遠隔のBluetooth装置が前記拡張通信モードをサポートする場合に、前記携帯電話送受信器により通信される前記第２の情報に含まれる音声情報における雑音を低減するための信号処理動作と同一の信号処理動作を利用して、前記Bluetoothモジュールによる通信のために前記第１の情報に含まれる音声情報における雑音を低減するように更に構成されている
ことを特徴とする請求項２に記載の無線通信端末。
【請求項５】
前記遠隔のBluetooth装置には、公衆交換電話網（PSTN）に接続されるように構成されるコードレス電話基地局が含まれ、前記プロセッサは、前記Bluetoothモジュールを介して前記コードレス電話基地局と通信するように構成されることを特徴とする請求項２に記載の無線通信端末。
【請求項６】
前記プロセッサは、前記遠隔のBluetooth装置が拡張通信モードをサポートするかどうかに基づいて、前記第１の情報に制御データを選択的に埋め込むように構成され、前記制御データは、前記コードレス電話基地局へのコマンドを含むことを特徴とする請求項５に記載の無線通信端末。
【請求項７】
前記制御データは、前記コードレス電話基地局に対し、PSTN上での通話を終了するように指示することを特徴とする請求項６に記載の無線通信端末。
【請求項８】
無線通信端末であって、
遠隔のBluetooth装置と第１の情報を通信するように構成されたBluetoothモジュールと、
携帯電話通信プロトコルに従い第２の情報を携帯電話ネットワークと通信するように構成された携帯電話送受信器と、
前記携帯電話送受信器による送信のために、信号処理動作により前記第２の情報を時間方向にインタリーブするように構成されたプロセッサと
を備え、
前記プロセッサが、
前記遠隔のBluetooth装置が、インタリーブされた情報を受信可能な拡張通信モードをサポートしている場合に、前記Bluetoothモジュールによる通信のために前記信号処理動作により前記第１の情報を時間方向にインタリーブし、
前記遠隔のBluetooth装置が前記拡張通信モードをサポートしない場合に、前記第１の情報を、前記信号処理動作による時間方向のインタリーブを行うことなく前記Bluetoothモジュールを介して通信するように更に構成された
ことを特徴とする無線通信端末。
【請求項９】
遠隔のBluetooth装置と第１の情報を通信するように構成されたBluetoothモジュールと、
携帯電話通信プロトコルに従い第２の情報を携帯電話ネットワークと通信するように構成された携帯電話送受信器と、
前記携帯電話送受信器による送信のために、信号処理動作により前記第２の情報を畳み込み符号化するように構成されたプロセッサとを備える
無線通信端末を動作させる方法であって、
前記プロセッサが、遠隔のBluetooth装置が畳み込み符号化された情報を受信可能とする拡張通信モードをサポートするかどうかを判定する工程と、
前記遠隔のBluetooth装置が前記拡張通信モードをサポートする場合に、前記プロセッサが第１の情報を畳み込み符号化し、前記Bluetoothモジュールが前記遠隔のBluetooth装置と該畳み込み符号化された第１の情報を通信する工程と、
前記遠隔のBluetooth装置が前記拡張通信モードをサポートしない場合に、前記プロセッサが前記第１の情報を畳み込み符号化せずに、前記Bluetoothモジュールが前記遠隔のBluetooth装置と前記第１の情報を通信する工程と
を備えることを特徴とする方法。
【請求項１０】
前記遠隔のBluetooth装置が前記拡張通信モードをサポートする場合にのみ、前記プロセッサが、前記第１の情報が含む音声情報を、前記遠隔のBluetooth装置との通信のために、前記信号処理動作によりエンハンスト・フル・レート（ＥＦＲ）コーデックとアダプティブ・マルチ・レート（ＡＭＲ）コーデックの少なくとも一つを用いて符号化する工程を更に備えることを特徴とする請求項９に記載の方法。
【請求項１１】
前記プロセッサが、前記携帯電話ネットワークへの送信のために、前記信号処理動作により前記ＥＦＲコーデックと前記ＡＭＲコーデックとの少なくとも一つを用いて前記第２の情報に含まれる音声情報を符号化する工程をさらに備えることを特徴とする請求項１０に記載の方法。
【請求項１２】
前記プロセッサが、前記第１の情報に含まれる前記音声情報におけるエコーをキャンセルする工程を更に備えることを特徴とする請求項９に記載の方法。
【請求項１３】
前記プロセッサが、前記第１の情報に含まれる前記音声情報における雑音を低減する工程を更に備えることを特徴とする請求項９に記載の方法。
【請求項１４】
遠隔のBluetooth装置と第１の情報を通信するように構成されたBluetoothモジュールと、
携帯電話通信プロトコルに従い第２の情報を携帯電話ネットワークと通信するように構成された携帯電話送受信器と、
前記携帯電話送受信器による送信のために、信号処理動作により前記第２の情報を時間方向にインタリーブするように構成されたプロセッサとを備える
無線通信端末を動作させる方法であって、
前記プロセッサが、遠隔のBluetooth装置が、インタリーブされた情報を受信可能とする拡張通信モードをサポートするかどうかを判定する工程と、
前記遠隔のBluetooth装置が前記拡張通信モードをサポートする場合に、前記プロセッサが前記第１の情報を時間方向にインタリーブし、前記Bluetoothモジュールが、前記遠隔のBluetooth装置と該インタリーブされた第１の情報を通信する工程と、
前記遠隔のBluetooth装置が前記拡張通信モードをサポートしない場合に、前記プロセッサが前記第１の情報を時間方向にインタリーブせずに、前記Bluetoothモジュールが前記遠隔のBluetooth装置と前記第１の情報を通信する工程と
を備えることを特徴とする方法。
【発明の詳細な説明】
【技術分野】
【０００１】
本発明は、無線通信端末に関する。より詳細には、携帯電話網及びBluetooth（登録商標）通信リンクを介して通信可能な無線通信端末及びその方法に関する。
【背景技術】
【０００２】
Bluetooth規格は、コードレス電話プロファイル（Cordless Telephony Profile:CTP）を提供する。このCTPによれば、、携帯電話端末は基地局を利用し、短距離Bluetooth通信リンクを介して固定ネットワーク電話サービスへアクセスすることができる。CTPプロトコルは、例えば、非特許文献１に定義されている。CTPプロトコルによれば、携帯電話端末は基地局を介して発呼して、他の携帯電話端末と直接に交信することができる。また、基地局と接続された外部ネットワークから提供される補助的サービスにアクセスすることができる。
【０００３】
Bluetooth通信リンクは比較的短距離における動作が意図されているので、家庭内やオフィス環境において適切なサービスエリアを確保するために、携帯電話端末及び基地局には、高出力送信器（例えば、＋１５dBm以上）及び高感度受信器（−９０dBm）が必要とされる。
【非特許文献１】Bluetoothシステム仕様、コードレス電話プロファイル、第２巻、Ｋ：３部、第１．１版、２００１年２月２２日（Specification of the Bluetooth System, Cordless Telephony Profile, Volume 2, Prt K:3, Version 1.1,February 22, 2001.）
【発明の開示】
【課題を解決するための手段】
【０００４】
本発明のいくつかの実施形態は、拡張通信モード(enhanced communication mode)を利用する遠隔Bluetooth装置と通信する無線通信端末を提供する。拡張通信モードは、Bluetooth通信リンクについてのSNマージン(signal to noise margin)の向上、及び、Bluetooth通信リンクを介して通信される音声信号の品質改善の少なくともいずれかを達成することができる。無線通信端末は、遠隔Bluetooth端末と第１の情報を通信するBluetoothモジュールと、該遠隔Bluetooth端末が拡張通信モードをサポートするか否かに応じて、第１の情報を選択的にエンコードするプロセッサとを含む。無線通信端末は、携帯電話通信プロトコルに従い、携帯電話網と第２の情報を通信する携帯電話送受信器を含むことができる。拡張通信モードでは、プロセッサは１以上の同一の信号処理動作を利用して、遠隔Bluetooth端末に送信するために第１の情報をエンコードし、また、携帯電話網への送信のために第２の情報をエンコードすることができる。
【発明を実施するための最良の形態】
【０００５】
以下において、本発明の実施形態を示す添付の図面を参照して、本発明をより詳細に記述する。しかしながら、本発明は、ここで説明する実施形態のみに限定されるものとして解釈されるべきではない。むしろ、これらの実施形態は、本開示が完璧かつ完全となるように、また当業者に本発明の範囲を十分に伝えるように提供されている。全体を通じて、類似の番号は類似の要素を指す。
【０００６】
また、「備える（"comprising"又は"comprise"）」との語は、オープンエンドスタイルの語であって、記述した１以上の要素、工程及び機能の少なくともいずれかを、記述していない１以上の要素、工程及び機能の少なくともいずれかを除外することなく含むものとして、理解されよう。
【０００７】
本発明は、本発明の実施形態に従う方法及び無線通信端末のブロック図及び動作図の少なくともいずれかを参照して以下に記述される。ブロック図及び動作図の少なくとも何れかにおける各ブロック及びそれらの結合は、無線通信周波数、アナログハードウェア及びデジタルハードウェアの少なくとも何れか、及び、コンピュータプログラム命令の少なくとも何れかにより実施することができることは、理解されよう。これらのコンピュータプログラム命令は、該命令が、コンピュータ及びプログラム可能なデータ処理装置の少なくともいずれかのプロセッサにおいて実行され、ブロック図や動作ブロック若しくはブロックの少なくとも何れかにおいて特定される機能／動作を実行するための手段を生成するように、汎用コンピュータ、特定用途コンピュータ、ＡＳＩＣ、及び無線通信端末内の他のプログラム可能なデータ装置の少なくとも何れかのプロセッサに提供されてもよい。いくつかの代替的な実施形態において、ブロックにおいて規定される機能／動作は、動作図に示される順番から外れて実行されても良い。例えば、連続する二つのブロックは、実質的に同時に実行されても良いし、或いは、そこに含まれる機能／動作に応じて時には逆順で実行されても良い。
【０００８】
本発明は全般的に、携帯電話通信チャネルを介して携帯電話網と通信可能で、Bluetooth通信チャネルのような短距離（即ち、低電力）通信チャネルを介してネットワーク接続可能な装置又は他の無線通信装置と通信可能な無線通信端末の文脈において本明細書で記載される。
【０００９】
本書面において“無線通信端末”との語が使用される場合、例えば、携帯電話インタフェース、無線通信ローカル・エリア・ネットワーク・インタフェース（WLAN）、Bluetoothインタフェース、他の無線通信インタフェース及び光学的インタフェースのうち少なくともいずれかのような、無線通信インタフェースを介して通信可能に構成された端末を含むものであるが、これに限定されるものではない。例示的な無線通信端末には、携帯無線電話と、データ処理機能、ファクシミリ機能及びデータ通信機能を携帯電話端末と結合したところの個人用通信システム（Personal Communications System:PCS）端末と、無線送受信機能、ページャー機能、インターネット／イントラネット接続機能、ローカルエリアネットワークインタフェース機能、ワイドエリアネットワークインタフェース機能、ウェブブラウザ機能、オーガナイザー機能及びカレンダー機能の少なくとも何れかを含むことのできるＰＤＡ（Personal Digital Assistant）と、移動可能な、或いは、固定的なコンピュータ又は無線送受信器を含む他の装置とが含まれるが、これに限定されるものではない。無線通信端末は、例えば、ANSI-136、GSM（Global Standard for Mobile）通信、GPRS（General Packet Radio Service）、EDGE（enhanced data rates for GSM evolution）、符号分割多元接続（CDMA）、ワイドバンドCDMA、CDMA２０００及びUMTSのようなプロトコルを含むことのできる携帯電話通信リンクを介して通信可能に構成されていることが好ましい。当業者が理解するように、Bluetoothプロトコルは、２．５４GHzの周波数帯域において、短距離アドホックネットワークを介して無線通信により接続し通信可能な電子装置間に、ユニバーサル無線通信インタフェースを提供するものである。ここで使用される通信プロトコルは、通信用の情報、タイミング、周波数、変調方式、及び通信接続をセットアップし、維持するための動作の少なくともいずれかを規定するものであってもよい。
【００１０】
本書面において“ネットワーク接続装置”との語が使用される場合、短距離無線通信リンク及びネットワーク接続の間の通信接続を可能とするように構成されたどのような装置も含まれるものであるが、これに限定されるものではない。ネットワーク接続装置は、例えば、Bluetooth無線リンクと公衆交換電話網（PSTN）との間の通信接続を提供するように構成されたコードレス電話基地局であってもよい。本発明の実施形態に従うネットワーク接続装置の他の例には、ローカルエリアネットワーク及びワイドエリアネットワーク（例えば、ISNDやインターネット）の少なくともいずれかと、無線リンクとの間の通信接続を提供する装置が含まれるが、これに限定されるものではない。
【００１１】
図１は、典型的な無線通信システムの機能ブロック図であり、該システムには、無線通信端末１００、無線通信ネットワーク１０２及びコードレス電話基地局１０４が含まれる。無線通信端末１００は、無線通信チャネル１３０を介して１以上の通信プロトコルに従って無線通信ネットワークと通信し、また、Bluetoothプロトコルに従って他の無線通信チャネル１３８を介してコードレス電話基地局１０４と通信する。
【００１２】
無線通信端末１００は、プロセッサ１０６、送受信器１０８、Bluetoothモジュール１１０、メモリー１１４、スピーカ１１６、マイク１１８、ディスプレイ１２０及びキーパッド１２２を含む。これらは、少なくとも部分的にハウジング１１２内に配置されても良い。
【００１３】
メモリー１１４は、１以上の消去及びプログラムが可能なリード・オンリ・メモリー（EPROM又はフラッシュEPROM）を含んでいても良い。バッテリーバックアップされたランダム・アクセス・メモリー（RAM）、磁気的、光学的、或いは他のデジタル格納装置を含んでいても良く、プロセッサ１０６とは切り離されるか、または部分的に含まれていてもよい。プロセッサ１０６は、例えば、汎用プロセッサ及びDSPのような、２以上の処理コンポーネントを含んでいてもよく、これらは、共通のパッケージ内に封入されていてもよいし、或いは、互いに独立し、切り離されていてもよい。送受信器１０８は典型的に、双方向通信を可能とするために送信器１２４と受信器１２６とを含むが、本発明はこのような装置に限定されるものではなく、本書面において“送受信器”との語が使用される場合は、受信器及び送信器の両方、まは、そのような通信回路の一つのみが含まれるものであってもよい。これにより無線通信端末１００は、無線周波数信号を利用して無線通信ネットワーク１０２と通信することができる。無線周波数信号は、１以上の携帯電話通信プロトコルに従う通信チャネル１３０上でアンテナ１２８を介して通信されてもよい。
【００１４】
無線通信端末１００は、Bluetooth通信リンク１３８を、コードレス電話基地局１０４のような遠隔のBluetooth端末との間で確立するようにも構成されている。Bluetoothモジュール１１０は、アンテナ１３６を介して無線通信リンクを通じてコードレス電話基地局１０４内のBluetoothモジュールと通信するように構成された送信器１３２及び受信器１３４を含むことができる。コードレス電話基地局１０４は、PSTNに接続され、Bluetoothモジュール１４０を制御して、無線通信端末１００とPSTNとの間の通信を提供するプロセッサ１４２を含む。
【００１５】
無線通信端末１００は、Bluetoothコードレス電話プロファイル（CTP）及びCPTに基づく修正プロトコルの少なくともいずれかに従いコードレス電話基地局１０４と通信しても良い。CTPプロトコルは上記の非特許文献１により定義されている。
【００１６】
プロセッサ１０６は、メモリー１１４内のソフトウェアにより定義される、無線通信端末１００の通信及びアプリケーションに関連する様々な機能をサポートしてもよい。当該ソフトウェアに従う動作により、プロセッサ１０６は、携帯電話通信チャネル１３０での送信のために、信号処理動作により情報をエンコードする（修正する）。当該信号処理動作には、マイク１１８からの音声信号におけるエコーキャンセル、音声信号におけるノイズリダクション、音声信号の補正（例えば、振幅補正）、音声エンコーディング及びデコーディング（例えば、音声の圧縮及び解凍）、及び、情報のチャネルコーディング及びチャネルデコーディングが含まれてもよい。音声のエンコーディング及びデコーディングは、例えば、エンハンスト・フル・レート（EFR）コーダー／デコーダ（コーデック）や、アダプティブ・マルチ・レート（AMR）コーデックにより実現しても良い。チャネルコーディングは、畳み込み符号化及び時間方向におけるインタリーブ（interleaving over time）を含んでいても良い。プロセッサ１０６はまた、１以上の信号処理動作により、Bluetooth通信チャネル１３８での送信のために情報をフォーマットしてもよく、ここでは、拡張通信モードという。拡張通信モードにおける信号処理動作の利用により、Bluetooth通信チャネル１３８のSNマージンの改善や、チャネル１３８を介して通信される音声品質の改善のうち、少なくともいずれかが達成できる。
【００１７】
無線通信端末１００は、コードレス電話基地局１０４が拡張通信モードをサポートするかどうかに基づいて、選択的に拡張通信モードをBluetoothリンクのために利用する。例えば、無線通信端末１００はBluetooth通信リンクをCTPプロトコルを利用して確立し、コードレス電話基地局１０４が拡張通信モードをサポートするか否かを決定しても良い。もし拡張通信モードがサポートされる場合には、音声信号は１以上の信号処理動作を利用して修正され、コードレス電話基地局１０４へ送信される。このコードレス電話基地局１０４は、それらを受信し、対応する信号処理動作を利用して処理する。また、もし拡張通信モードがサポートされない場合は、信号処理動作を利用せずに音声信号を送信しても良い。従って、無線通信端末１００は、従来的な通信モード及び拡張通信モードの少なくともいずれかをサポートするコードレス電話基地局又は他のネットワーク接続装置との互換性を有する。
【００１８】
図２は、例えば図１に示すような無線通信端末１００において利用可能な信号処理要素を例示するブロック図である。信号処理要素は、例えば、プロセッサ１０６及びプロセッサ１０６内に存在し得るディスクリート・コンポーネントの少なくともいずれかにより実行されるソフトウェアにより提供されても良い。パルス符号変調器（ＰＣＭ）２００は、マイク１１８からのアナログ音声信号を、モード判定部２０２に提供されるデジタル音声信号に変換する。ＰＣＭ２００はまた、デジタル信号への変換前及び変換後の少なくともいずれかにおいて、アナログ音声信号を増幅し、フィルタリングしても良い。モード判定部２０２は、コードレス電話基地局１０４が拡張通信モードをサポートするかどうかに基づき、デジタル音声信号を、更なる信号処理経由でBluetoothモジュール２０４に送信するか、または、Bluetoothモジュール２０４へ直接送信する。拡張通信モードがサポートされない場合は、モード判定部２０２は、コードレス電話基地局１０４との通信のためにデジタル音声信号をBluetoothモジュール２０４に送信する。一方、拡張通信モードがサポートされる場合には、デジタル音声信号は、エンコーディング部２０６に送られる。エンコーディング部２０６では、（例えば、ヘッドセット内で利用される場合には）エコー低減或いはエコーキャンセル、雑音（風騒音）の低減、及び、例えば振幅調整のような他の音声補正のうちの、少なくともいずれかが行われる。音声エンコーダ２０８は、デジタル音声信号を、例えばEFRやAMRコーデックのような音声コーデックを利用して圧縮する。チャネルエンコーダ２１０は、Bluetooth通信リンク１３８での送信のために圧縮音声信号をエンコードする。チャネルエンコーディングには、圧縮音声信号のバーストブロックへのインタリーブを含んでいても良い。これは、送信バーストの幾つかにおける損失の原因となる選択的フェージングにさらされるRFチャネルについての性能の改善をもたらすものである。
【００１９】
拡張信号経路には、制御信号部２１２及び信号フォーマット部２１４も与えられる。拡張信号経路は、例えば通信チャネル１３８を設定・終了させるため、コードレス電話基地局１０４を通じて通話を開始・終了させるため、及び、例えば通話に関連する通話者識別子(caller identification)のような情報を通信するための、少なくともいずれかの目的で利用される、よりロバストなインバンド信号を提供することができる。制御信号部２１２は、Bluetooth通信チャネル１３８を介して通信される制御信号を生成、受信する。信号フォーマット部２１４は、制御信号を、例えば畳み込み符号化及び復号化動作の少なくともいずれかを用いて、エンコード及びデコードの少なくともいずれかを行う。信号フォーマット部２１４は、エンコードされた制御信号を制御データとしてチャネルエンコーダ２１０に与える。制御信号は、音声信号よりも通信の信頼性をより高いものとするために、音声信号について使われるものよりも高いコーディングゲインでエンコードされてもよい。制御信号のより高いコーディングゲインにより、Bluetoothモジュール１１０及びコードレス電話基地局１０４の少なくともいずれかの制御を改善することができる。
【００２０】
図３は、例えば図１のコードレス電話基地局１０４への送信用に音声信号及び制御信号をチャネルエンコードするために、例えば図２のチャネルエンコーダ２１０により実行される動作を示す。ブロック３００では、例えばレート１／３又は１／５の畳込み符号化器を利用して、音声信号は畳み込み符号化され、符号化ビットストリームが形成される。ブロック３０２では、例えば３２ｋｂｐｓビットストリームを与えるための既知のパターンに従ってビットを除去することにより、符号化ビットストリームがパンクチャされる(punctured)。結果として得られるビットストリームは、ブロック３０４において、該ビットストリームを２度コピーすることにより複製され、６４ｋｂｐｓビットストリームが生成される。これは、Bluetooth通信チャネルにより提供される、利用可能な６４ｋｂｐｓ帯域幅に対応するものである。ブロック３０６では、制御信号がビットストリームに付加され、結合ビットストリームが生成される。ブロック３０８では、結合ビットストリームが時間方向にインタリーブされる。例えば、音声コーディングが２０ミリ秒の周期（20mSec periods）で実行される場合、結合ビットストリームは、Bluetooth通信チャネル１３８の５つの同期チャネルにインタリーブされてもよい。結合ビットストリームをBluetooth通信チャネル１３８の周波数ホッピング性質と組み合わせて時間方向でインタリーブすることは、コーディングゲインと、通信チャネル１３８に関連するSNマージン及びロバスト性とを更に増加させることとなる。状況によっては、データバーストが完全に干渉され、破損されるかも知れないが、コーディングゲインのお陰で、依然としてデータを受信し、適切にデコードすることが可能である。さらに、コーディングゲイン及びSNマージンの増加により、送信出力電力レベルをより低くすることができる。
【００２１】
図２を再度参照すると、Bluetoothモジュール２０４により受信された情報は、受信情報が、拡張通信モードに従ってエンコードされている場合には、選択的にチャネルデコーダ２１６及び音声デコーダ２１８によりデコードされ、さもなくば、モード判定を経てPCM２００へ直接送られる。図４は、例えば図２のチャネルデコーダ２１６が受信情報をチャネルデコードするために利用することのできる動作を示す。ブロック４００では、受信情報はデインタリーブされる。ブロック４０２では、制御データが、デインタリーブされた情報から除去され、図２の信号フォーマット部２１４に与えられる。ブロック４０４では、結果として得られた情報にソフト符号化情報(soft coded information)が付加され、ブロック４０６において畳み込み復号化される。ソフト符号化情報の付加に替えて、或いは、それに追加して、ハイ・チャネル・コーディング率(the high channel coding ratio)が、破損された情報ビットを修正するために利用されても良い。例えば、破損されたビットは、null（又は、１信号送信につき、−１についてゼロ(or zeros for -1, 1signaling)）により置換されても良い。チャネルデコーダ２１６の出力は、音声デコーダ２１８へ与えられ、音声が復号（例えば、解凍）される。結果として得られた信号は、PCM２００に与えられ、アナログ信号に変換されて、例えば図１のスピーカ１１６に与えられる。
【００２２】
図５は、ネットワーク接続装置の典型的な構成を例示するブロック図である。ここでは、専ら例示の目的において、図１のコードレス電話基地局１０４のようなコードレス電話基地局を構成するものを示している。コードレス電話基地局は、Bluetoothモジュール５０２を介して無線通信チャネルで通信し、PSTNインタフェース５０４を介してPSTNと通信する。コードレス電話基地局は、拡張通信モードを提供することができる。この拡張通信モードでは、情報が、図１から図４と関連して記述した手法と同様の手法によりエンコードされ、デコードされる。例えば、拡張通信モードがサポートされるか否かに基づいて、Bluetooth通信チャネルとPSTNとの間で通信される情報に対する信号処理が選択的に実行される。信号処理は、モード判定部５０６により選択的に与えられる。このモード判定部５０６は、情報を、PSTNから、エンコード部５０８、音声エンコーダ５１０及びチャネルエンコーダ５１２を介して、Bluetoothモジュール５０２へと選択的にルーティングする。信号処理はまた、信号について、Bluetoothモジュール５０２から、チャネルデコーダ５１４及び音声デコーダ５１６を経て、PSTNインタフェース５０４にかけて選択的に行われる。エンコーディング部５０８、音声エンコーダ５１０、チャネルエンコーダ５１２、チャネルデコーダ５１４及び音声デコーダ５１６は、図２のエンコーディング部２０６、音声エンコーダ２０８、チャネルエンコーダ２１０、チャネルデコーダ２１６及び音声デコーダ２１８のそれぞれについて説明したのと同様の方式でそれぞれ動作する。コードレス電話基地局はまた、図２の制御信号部２１２及び信号フォーマット部２１４と同様に動作する制御信号部５１８及び信号フォーマット部５２０を含む拡張制御信号経路を含んでいても良い。これらの説明は、簡単のためにここでは省略する。
【００２３】
よって、無線通信端末は、拡張通信モードを利用して、Bluetooth通信チャネルでネットワーク接続装置と通信することができる。拡張通信モードでは、携帯電話通信チャネルでの通信を目的として情報をエンコードするために無線通信端末により利用される１以上の信号処理動作が、Bluetooth通信チャネルでの通信を目的として情報をエンコードするために利用される。拡張通信モードでは、Bluetooth通信リンクのためのSNマージンを増加させることができ、また、Bluetooth通信リンクで通信される音声信号の品質を改善することができる。
【００２４】
図面及び明細書において、本発明の実施形態を記載した。ここでは特定の用語が採用されているが、それらはあくまで一般的かつ記述的な意味においてのみ使用されており、発明を限定する目的はない。本発明の範囲は特許請求の範囲に記載されるとおりである。
【図面の簡単な説明】
【００２５】
【図１】本発明の様々な実施形態における無線通信システム及びその構成要素を例示する図である。
【図２】本発明の様々な実施形態における無線通信端末の信号処理要素を例示するブロック図である。
【図３】本発明の様々な実施形態におけるコードレス電話基地局へ送信するための情報のチャネルエンコード動作を例示するフローチャートである。
【図４】本発明の様々な実施形態におけるコードレス電話基地局から受信した情報のチャネルデコード動作を例示するフローチャートである。
【図５】本発明の様々な実施形態におけるネットワーク接続可能な装置を例示するブロック図である。
【図１】
0004464400.tif 000002
【図２】
0004464400.tif 000003
【図３】
0004464400.tif 000004
【図４】
0004464400.tif 000005
【図５】
0004464400.tif 000006